(57)【要約】【課題】気体供給量を低減させながら霧を大量に発生させるノズルを提供する。【解決手段】少なくとも３つの第一、第二、第三噴口（３、４、５）を備え、第一噴口（３）はノズル中心線上に配置すると共に、第二噴口（４）と第三噴口（５）は第一噴口（３）を挟んで配置し、第二噴口と第三噴口は、前記第一噴口の中心線の噴射側延長線上で、該第二、第三噴口の中心線の延長線が噴射側に向けて傾斜した状態で衝突するように配置し、前記第一、第二、第三噴口からそれぞれ噴射する３流体を一つの衝突点（Ｐ）で衝突させる構成としている。【選択図】図１
2010127603.tif 000002
【特許請求の範囲】
【請求項１】
少なくとも３つの第一、第二、第三噴口を備え、
前記第一噴口はノズル中心線上に配置すると共に、前記第二噴口と第三噴口は前記第一噴口を挟んで配置し、
前記第二噴口と第三噴口は、前記第一噴口の中心線の噴射側延長線上で、該第二、第三噴口の中心線の延長線が噴射側に向けて傾斜した状態で衝突するように配置し、前記第一、第二、第三噴口からそれぞれ噴射する３流体を一つの衝突点で衝突させる構成としていることを特徴とするノズル。
【請求項２】
前記第二、第三噴口から噴射する流体は、気体と液体とを外部混合した気液混合流体であり、前記第一噴口から噴射する流体は気体、または気体と液体とを外部混合した気液混合流体である請求項１に記載のノズル。
【請求項３】
前記第二、第三噴口は前記ノズル中心線の延長線に向けて傾斜し、前記衝突点を支点として第二、第三噴口の中心線が成す角度が８０゜以上１８０゜未満の範囲としている請求項１または請求項２に記載のノズル。
【請求項４】
前記第二噴口と第三噴口は、前記第一噴口よりも噴射側の突出した位置に配置すると共に、噴口をノズル中心線に向けて互いに向き合うように傾斜させて設ける請求項１乃至請求項３のいずれか１項に記載のノズル。
【請求項５】
前記第一噴口の先端点から前記衝突点までの距離Ｌ１と、第二、第三噴口の先端点から前記衝突点までの距離Ｌ２は、Ｌ２＜Ｌ１としている請求項１乃至請求項４のいずれか１項に記載のノズル。
【請求項６】
前記第一噴口の外周に、前記第二、第三噴口と同一周上に更に１以上の噴口を等角度ピッチで備え、これら第一噴口を囲む第二、第三噴口を含む複数の噴口から噴射される流体を前記１つの衝突点で衝突させる構成としている請求項１乃至請求項５のいずれか１項のノズル。
【請求項７】
請求項１乃至請求項６のいずれか１項に記載のノズルを備えた加湿器。
【請求項８】
貯水室を形成しているケーシング内にフロートを収容すると共に、該ケーシングの開口を閉鎖する蓋材に直接に前記ノズルを着脱自在に取り付け、かつ、該蓋材に前記ノズルの気体通路と液体通路に気体と液体とを供給する通路、前記フロートの昇降に応じて開閉する止水レバーに連結した止水弁を取り付け、該止水弁は半球状としたゴム部品で半球状の弁座を開閉する構成としている請求項７に記載の加湿器。
【発明の詳細な説明】
【技術分野】
【０００１】
本発明は、ノズルおよび該ノズルを備えた加湿器に関し、少ない気体量で細かな霧を大量に発生させることができるようにし、エネルギーの消費量を低減するものである。
【背景技術】
【０００２】
従来より、農業用、工業用等のあらゆる分野において所要の湿度に保持するために加湿器が用いられ、該加湿器に装備したノズルから噴霧して湿度を保つようにしている。該ノズルからは、気体と液体とを混合した気液混合液を所要圧力で噴霧し、噴霧する粒子を微粒化している。このように、ノズルからの噴霧を微粒化すると共に噴霧範囲を広げるためには、圧搾空気を供給する必要があるためエネルギーを消費し、該エネルギーの消費量を抑制することが求められている。
【０００３】
この種の加湿器として、本出願人は特開平５−７９６６４号公報において、加湿器の貯水室に溜めておく水を可能な限り少なく、常時、水道管より新鮮な水を供給することで、細菌の発生、増殖を１００％抑えることができる加湿器を提供している。
該加湿器には、図７に示すように、対向配置した一対の噴口１００と１０１を備えたノズル１１０を装着し、前記対向配置した噴口１００と１０１から噴射する噴霧を衝突させて、水滴を微粒化している。
【０００４】
この加湿器は種々の利点を有するものであるが、前記したエネルギーの消費量を抑制する観点からは、改良の余地がある。
例えば、前記噴口１００と１０１とから気液混合液を噴霧する際、気体量を低減してエネルギー消費量を減少すると、霧が粗くなり周辺を濡らしてしまう。また、水滴が噴口１００、１０１の周縁に付着しやすくなり、この水滴を除去せずに付着した状態のままであると、水滴がボタ落ちする問題が発生する。
【０００５】
【特許文献１】特開平５−７９６６４号公報
【発明の開示】
【発明が解決しようとする課題】
【０００６】
本発明は、前記問題を解消して、少ない気体量で細かな霧を大量に発生できるようにし、省エネルギー化を図ることができるノズル、および該ノズルを備えた加湿器を提供することを課題としている。
【課題を解決するための手段】
【０００７】
前記課題を解決するため、第一の発明として、
少なくとも３つの第一、第二、第三噴口を備え、
前記第一噴口はノズル中心線上に配置すると共に、前記第二噴口と第三噴口は前記第一噴口を挟んで配置し、
前記第二噴口と第三噴口は、前記第一噴口の中心線の噴射側延長線上で、該第二、第三噴口の中心線の延長線が噴射側に向けて傾斜した状態で衝突するように配置し、前記第一、第二、第三噴口からそれぞれ噴射する３流体を一つの衝突点で衝突させる構成としていることを特徴とするノズルを提供している。
【０００８】
本発明では、少なくとも３つの噴口から噴射する霧を３方向から１つの衝突点で衝突させ、該衝突時により多くの超音波を発生させることができ、該超音波により微細な霧を大量に発生させることができる。
即ち、前記した従来の２つの噴口から噴射する霧を衝突させる場合と比較して、水滴をより微粒化でき、大量に霧を発生させることができる。言い換えれば、圧搾空気の圧力を上げたり、圧搾空気量を増大させることなく、噴口から噴射する霧の衝突形態を変えて超音波で微細な霧を大量に発生させている。その結果、供給する圧搾空気量を低減でき、エネルギーの消費量を低減することができる。
【０００９】
前記第二、第三噴口から噴射する流体は，気体と液体とを外部混合した気液混合流体であり、前記第一噴口から噴射する流体は気体、または気体と液体とを外部混合した気液混合流体前記第二、第三噴口から噴射する流体は気液混合流体のいずれでもよい。
【００１０】
前記第二、第三噴口は前記ノズル中心線の延長線に向けて傾斜させ、前記衝突点を支点として第二、第三噴口の中心線が成す角度が８０以上１８０゜未満の範囲としている。好ましくは、１１０゜以上であり、特に１３０〜１６０゜が好ましい。
【００１１】
前記した角度で第二噴口と第三噴口から噴射する噴霧を衝突させ、かつ、第二噴口と第三噴口とから等角度間隔のノズル中心線上の第一噴口から前記衝突点に向けて気体または気液混合液を噴射して衝突させると、第二、第三噴口から噴射した霧と均等に衝突させることができ、噴霧中の水滴の微粒化を均等に行うことができる。
かつ、前記角度で３方向からの噴霧を１点で衝突させることにより、衝突時に超音波を発生させて水滴の更なる微粒化が図れることを、本発明者は実験により知見した。
また、前記第二、第三の噴口からの噴霧の前記角度は８０゜以上（好ましくは１１０゜以上とし、かつ、その中心に第一噴口からの噴霧を衝突させることで、衝突時に発生する超音波により微粒化が促進され、大量の霧が発生することを本発明者は実験により知見した。
また、前記第二、第三の噴口からの噴霧がなす前記角度が大きくなり過ぎると、噴霧の飛距離が短くなり、噴口周縁への水滴が付着しやすくなる。よって、前記角度は１８０゜未満、好ましくは、１６０゜以下である。
【００１２】
前記第二噴口と第三噴口は、前記第一噴口よりも噴射側の突出した位置に配置すると共に、噴口をノズル中心線に向けて互いに向き合うように傾斜させて設けることが好ましい。  前記のように、衝突時に超音波を発生させて霧を大量に発生させるためには、第二噴口と第三噴口とがなす前記角度を大きくすることが好ましいが、第二、第三噴口の周縁には水滴が付着しやすくなる。その場合、前記のように、第一噴口より第二、第三噴口を噴射側の突出した位置に配置すると、後方に位置する第一噴口から噴射する気体または気液混合液により吹き飛ばすことができる。
【００１３】
なお、本発明では、第一、第二、第三噴口の位置は前記に限定されず、同一平面上に配置し、第二、第三噴口からの噴霧を前記のように、一点で衝突させて超音波を発生させて霧を大量に発生させる構成としてもよい。この場合、前記のように、第二、第三噴口をノズルの中心線に向けて傾斜させて配置する場合より、第二、第三噴口の周縁に水滴が付着しにくくなる。
かつ、噴口周縁をＰＴＦＥ等の平滑性に優れた四弗化樹脂で形成すると、周縁回りへの水滴の付着を低減または除去することができ、また、噴口の目詰まりも低減できる。
【００１４】
前記第一噴口の先端点から前記衝突点までの距離Ｌ１と、第二、第三噴口の先端点から前記衝突点までの距離Ｌ２は、Ｌ２＜Ｌ１とすることが好ましい。
前記位置関係とすることにより、３方向からの噴霧を１点で衝突させた場合に、効果的に超音波を発生させて、微粒化を促進して大量に霧を発生させることができることを、本発明者は実験より知見した。  
【００１５】
前記第一噴口の外周に、前記第二、第三噴口と同一周上に更に１以上の噴口を等角度ピッチで備え、これら第一噴口を囲む第二、第三噴口を含む複数の噴口から噴射される流体を前記１つの衝突点で衝突させる構成としてもよい。
このように、１つの衝突点で３方向以上、４方向、６方向からの噴霧を衝突させると、衝突時に発生する超音波周波数は増加し、水滴の微粒化をはかり、発生する霧を大量化することができる。
【００１６】
第二の発明として、前記第一の発明のノズルを備えた加湿器を提供している。
該加湿器は、貯水室を形成しているケーシング内にフロートを収容すると共に、該ケーシングの開口を閉鎖する蓋材に直接に前記ノズルを着脱自在に取り付け、かつ、該蓋材に前記ノズルの気体通路と液体通路に気体と液体とを供給する通路、前記フロートの昇降に応じて開閉する止水レバーに連結した止水弁を取り付け、該止水弁は半球状としたゴム部品で半球状の弁座を開閉する構成としていることが好ましい。
この加湿器は、構成部品点数を前記特許文献１の加湿器より大幅に低減でき、その結果、組み立て工数を低減することができる。
特に、止水弁に半球状のゴム製品を用い、弁座を半球状としているため、多少の傷やゴミがあっても、ゴム製品の弾性でシールすることができる。
【００１７】
前記加湿器に装着するノズルは、前記第一噴口から圧搾空気を噴射し、第二、第三噴口から圧搾空気と水の混合液を噴射し、該第二、第三噴口の周縁に付着する水滴を第一噴口から噴射する圧搾空気で吹き飛ばす構成としていることが好ましい。
【００１８】
前記のように、第一の発明のノズルは、少なくとも３つの噴口から噴射される流体を１点で衝突させて超音波を発生させることにより、圧搾空気量を少量としても霧を大量に発生できるようにしているため、加湿器の消費エネルギーを低減することができる。
前記アダプタに取り付ける第一の発明のノズルは１個であってもよく、対称位置に２個設けてもよく、さらに、９０度間隔で４個設けてもよく、個数は限定されない。
【００１９】
前記加湿器は、具体的には、
内部に貯水室を形成しているケーシングと、
前記貯水室内面に遊嵌して貯水量に応じて昇降するフロートと、
前記ケーシングの蓋材とを備え、該蓋材に前記ノズルを着脱自在に取り付けると共に、該蓋材に貯水室内のフロートを貫通する吸液管と、該吸液管と前記ノズルの液体通路を連通する液体通路と、接続する気体供給管から供給される圧搾空気を前記ノズルの気体通路に供給する気体通路を一体に設けている。
さらに、前記蓋材に液体供給管を接続し、該液体供給管に連通部に前記弁座を設けると共に、前記止水弁を取り付けている。該止水弁に止水レバーの一端を回転自在に蓋材に軸着し、該止水レバーに設けた穴に前記吸液管を貫通させ、止水レバーをフロートの上面に配置している。
【００２０】
前記止水レバーは、前記一端の支点に近接した位置に上向き突起を設けて前記止水弁の下端と固着し、前記支点と反対側の先端に下向き突起を設けている。該下向き突起はフロートが上昇すると押し上げられ、前記止水弁を押し上げて、弁座を閉鎖している。このようにテコの原理を用いて止水弁を閉鎖することで強い力で止水弁を閉じることができる。
【００２１】
本発明の前記加湿器では、圧搾空気供給管からノズルの気体通路へ供給された圧搾空気と吸液管を通して貯水室内の吸い上げられノズルの液体通路へ供給された液体とが、第一の発明のノズルより外部混合されて噴霧される。
噴射により貯水室内の液体が減少し、フロートが下降すると、フロート上面に当接させた止水レバーの先端が下降して、該止水レバーの支軸と先端の間に固定した止水弁が下降して弁座を開き、貯水室内に給液する。貯水室内への液体の供給に伴いフロートが上昇し、連動して止水レバーおよび止水弁が上昇し、貯水室内の水量が設定値に達すると、止水弁が弁座を閉じて、液体の供給を停止する。
【００２２】
なお、前記第一の発明のノズルは、加湿器に装着するノズルに限定されず、ノズルのみを用いてもよく、かつ、他の機器に装着しても良い。
【発明の効果】
【００２３】
前述したように、第一の発明のノズルでは、少なくとも３つの噴口から噴射する流体を１つの衝突点で衝突させることにより、超音波を発生させ、該超音波で衝突する噴霧中の水滴を微粒化して、大量の霧を発生させることができる。このように、衝突の形態を変えることで霧を大量に発生させるため、圧搾空気量を減少させることができ、省エネルギー化を図ることができる。
具体的には、本発明のノズルを用いて、前記特許文献１のノズルと同等の霧を発生させる場合、本発明者の実験によれば、気体消費量を約２０％程度削減することができる。
【００２４】
また、第二の発明の加湿器は、前記第一の発明のノズルを装着しているため、加湿器の運転に要するエネルギーを低減でき、ランニングコストが低減された加湿器とすることができる。
【発明を実施するための最良の形態】
【００２５】
以下、本発明の実施形態を図面を参照して詳述する。
図１（Ａ）（Ｂ）に第一の発明のノズルの第一実施形態を示す。
【００２６】
第一実施形態のノズル１は、樹脂成形品からなる本体２の中心線（Ｓ１）上の噴射側先端に第一噴口３を設け、該第一噴口３を挟むと共に第一噴口３より噴射側（Ｘ）に突出する位置に第二噴口４と第三噴口５とを設けている。該第二噴口４と第三噴口５とは中心線（Ｓ１）を支軸として対称としている。
【００２７】
本体２には液体（本実施形態では水）を流通させる液体流路７と、圧搾空気を流通させる気体通路８とを設け、液体流路７と気体流路８のそれぞれ一端は、本体２の流体供給側（Ｙ）の端面２ａに液体供給口７ａ、気体供給口８ａとして開口している。
前記液体流路７と気体流路８とは第二噴口４と第三噴口５に連通して気液混合液を噴射させ、第一噴口３には気体流路８のみを連通させてエアを噴射させ、これら３つの噴口から噴射する流体を噴射側（Ｘ）の１つの衝突点（Ｐ）で衝突させている。
【００２８】
前記のように、第一噴口３は本体２の中心線（Ｓ１）上に位置する噴射側端面２ｂの中心に設けた突出部２ｃの先端に設けている。
前記本体２の外周部を噴射側に向けて拡径させ、左右両側の中央部に更に噴射側へ拡径しながら突出させた分岐部２ｄ、２ｅを設けている。各分岐部２ｄ、２ｅの先端側は逆方向の縮径方向へ屈折させた屈折部２ｆ、２ｇを設けている。一方の屈折部２ｆの先端に第二噴口４を設け、他方の屈折部２ｇの先端に第三噴口５を設けている。
【００２９】
前記液体通路７は液体供給口７ａと連通させた流入路７ｂを２方向に分岐させ、前記分岐部２ｄから屈折部２ｆを通り第二噴口４に達する分岐通路７ｃと、前記分岐部２ｅから屈折部２ｇを通り第三噴口５に達する分岐通路７ｄを設けている。
前記気体通路８は気体供給口８ａと連通させた流入路８ｂを３方向に分岐させ、第一噴口３に連通する分岐通路８ｃ、第二噴口４に連通する分岐通路８ｄ、第三噴口５に連通する分岐通路８ｅを設けている。
前記第二噴口４と第三噴口５とからは、それぞれ、液体通路７と気体通路８とから供給される水と空気を液体を中心として気体を外周側から外部混合して気液混合液として噴射している。
【００３０】
第二噴口４の中心線（Ｓ２）と第三噴口５の中心線（Ｓ３）は、ノズル中心線（Ｓ１）の噴射側（Ｘ）の延長線に向けて傾斜し、前記衝突点Ｐで交差させ、該衝突点Ｐで第一噴口３からの噴射する気体と、第二噴口４および第三噴口５から噴射する気液混合液の３つの流体を衝突させている。
前記第二、第三噴口４、５の中心線（Ｓ２）と（Ｓ３）とが第一噴口３の中心線（Ｓ１）を支点としてなす角度θは８０゜以上１８０゜未満の範囲、好ましくは、１３０〜１６０゜の範囲としている。
【００３１】
また、第一噴口３の先端点から衝突点（Ｐ）までの距離Ｌ１は、第二、第三噴口４、５の先端点から衝突点（Ｐ）までの距離Ｌ２は前記距離Ｌ１より短い（Ｌ２＜Ｌ１）としている。
【００３２】
前記構成としたノズル１では、第一噴口３から噴射する気体（空気）と、第二、第三噴口４、５から噴射する気液混合液（空気と水の混合液）が、第一噴口３の先端から距離Ｌ１をあけた１つの衝突点（Ｐ）で衝突して外部混合する。
この３方からの流体の衝突で衝突点（Ｐ）に超音波が発生し、該超音波により混合した流体を超音波振動で霧中の粒子をより微粒化でき、大量に霧を発生させることができる。
【００３３】
本発明者は、前記特許文献１の２方向から気液混合液を衝突させるノズルの場合と前記実施形態のノズルとの比較実験を行った。
その結果、空気量を２０％低減して、前記特許文献１の２方向から気液混合液を衝突させた場合と同程度の霧を発生させることができた。
【００３４】
また、第二、第三噴口４、５からは気液混合液を噴射していると共に、該第二、第三噴口４、５は中心線（Ｓ１）に向けて傾斜させているため、第二、第三噴口４、５の噴口周縁、特に、第一噴口３が位置する後方側周縁に水滴が付着する場合がある。その場合、これら第二、第三噴口４、５の周縁に付着した水滴を、第一噴口３から噴射する空気で吹き飛ばして除去することができる。これにより、気体供給量を低減した場合に噴口に水滴が付着した場合の問題も解決することができる。
【００３５】
図２に第二実施形態のノズル１０を示す。
第二実施形態のノズル１０は、前記第一実施形態のノズル１では第一噴口３から気体だけを噴射しているのに対し、第一噴口３から気液混合液を噴射させている点を相違させている。即ち、液体通路７に第一噴口３へ液体を供給する分岐通路７ｅを設け、第一、第二、第三噴口３、４、５の３つの噴口からそれぞれ気液混合液を噴射させて、噴射方向の外部の１つの衝突点（Ｐ）で衝突混合させている。  
このように、３方から噴射する気液混合液を衝突させた場合も、衝突点で超音波を発生させて、少ない気体量で大量の霧を発生させることができる。かつ、第二、第三噴口の周縁に付着する水滴を第一噴口から噴射する気液混合液で吹き飛ばして除去することができる。
【００３６】
図３に第三実施形態のノズル１１を示す。
第三実施形態のノズル１１は、第一噴口３の外周に前記第二噴口４、第三噴口５と共に、第四噴口１４、第五噴口１５の４つの噴口を設け、９０度間隔で配置している。
前記第一噴口３、第二、第三噴口４、５は第一実施形態と同一の形状とし、第四、第五噴口１４、１５を第二、第三噴口４、５と同一の形状としている。
該ノズル１１では、第一噴口３から気体のみを噴射し、その外周の第二〜第五噴口４、５、１４、１５から気液混合液を噴射し、５方向から噴射される流体を１つの衝突点で衝突させている。  
このように、５方向からの流体の衝突で発生する超音波振動をより大きなものとすることができ、発生する霧の微粒化を図ることができる。
【００３７】
図４に第四実施形態のノズル１２を示す。
第四実施形態のノズル１２は、中心線（Ｓ１）上に配置する第一噴口３の外周に配置する第二噴口１６と第三噴口１７とを同一平面上に配置し、第一噴口３より第二、第三噴口１６、１７を噴射側へ突出させていない。
【００３８】
具体的には、ノズルの本体２の噴射側端面２ｂを平坦面とし、中心線上に第一噴口３を形成している。中心の突出部２ｃを挟んで左右両側に第二噴口４、第三噴口５を設け、該第二噴口４、第三噴口５に達する液体通路および気体通路を傾斜させている。
これにより、第一、第二、第三噴口３、４、５から噴射して外部混合する霧を１つの衝突点（Ｐ）で衝突させ、衝突点（Ｐ）で超音波を発生させて、微粒化を図り霧を大量に発生させている。
なお、前記第一、第二、第三噴口３、４、５の噴口周縁をＰＴＦＥ等の四弗化樹脂で成形して平滑性を高め、水滴を付着しにくくしてもよい。
【００３９】
図５および図６に第二の発明の加湿器２０を示す。
加湿器は前記第一の発明のノズルを備えておれば、加湿器の構成は限定されない。
本実施形態の加湿器２０はケーシング２１、蓋材２２と、該蓋材２２に着脱装着したノズル１を備えている。該ノズル１は前記第一実施形態のノズルを用いているため、ノズルの構造の説明は省略する。
【００４０】
加湿器２０は、ケーシング２１の上面開口を閉鎖する蓋材２２を備え、該蓋材２２の外周に９０度間隔をあけて前記ノズル１を４つ取り付けている。なお、加湿器に取り付けるノズルの個数は限定されず、１個でも良い。
ケーシング２１は内部にフロート２５を収容した略円筒型で、その上面開口を前記蓋材２２で閉鎖している。
【００４１】
前記ケーシング２１は周壁２１ａを底壁２１ｂに向かって縮径方向に傾斜させ、かつ底壁２１ｂの内面は中央に向けて下方傾斜させ、中央部の最下端部に液溜まり２６を設けている。また、周壁２１ａには周方向にあけてリブ２１ｄを突設し、該リブ２１ｄの内周面に沿ってフロート２５が昇降するようにしている。
【００４２】
前記フロート２５は、前記リブ２１ｄと底壁２１ｂとに僅かな隙間をあけて沿う形状とし、最下端部の液溜まり２６と対応するフロート２５の中心部に上下に開口する貫通孔２５ａを設けている。
蓋材２２の中心部に下方へ突出する吸液管２２ｅを突設し、該吸液管２２ｅをフロート２５の貫通孔２５ａに貫通させ、下端を液溜まり２６に開口させ、液溜まり２６より液を吸引している。該吸液管２２ｅの上端は４方向に分岐させ、該分岐通路２２ｆをノズル１の液体通路７に連通している。
該蓋材２２の中央部には、前記吸液管２２ｅと対応する上側に気体供給管連結部２２ｇを設け、その下端を４方向に分岐させ、該分岐通路２２ｈをノズル１の気体通路８に連通している。
【００４３】
蓋材２２の一側部に液体供給管４０を連結する液体供給管連結部２２ｉを設け、該液体供給管連結部２２ｉの下部に、止水弁２９の収容部２２ｊを設けている。前記液体供給管連結部２２ｉと収容部２２ｊとの間に半球状の弁座２２ｋを設けている。なお、前記液体供給管連結部２２ｉには、液体通路にストレーナを介在させてもよい。
前記収容部２２ｊに収容する止水弁２９は前記弁座２２ｋを開閉するゴム製の半球状の弁体２９ａを備え、該止水弁２９の下端を止水レバー３０に固着している。
【００４４】
止水レバー３０は真っすぐな形状のレバーとし、その一端の支点３０ａを収容部２２ｊの下端部に回転自在に軸着し、該支点３０ａに近接して上向きに設けた突出部３０ｂを前記止水弁２９の下端に固着している。該止水レバー３０の中央部に前記吸液管２２ｅを貫通させる穴３０ｃを設け、止水レバー３０をフロート２５の上面に沿って配置し、止水レバー３０の突出端に下向きに設けた接触部３０ｄを設けている。
【００４５】
前記止水レバー３０の下向きの接触部３０ｄはフロート２５の上面に当接し、この状態で止水レバー３０に下端を固定した止水弁２９は下降し、弁座２２ｋを開いて給水状態となる。貯水室３２内に定量の給水が成され、フロート２５が上昇し、接触部３０ｄが押し上げられると、止水弁２９も上昇して弁座２２ｋを閉じて給水を停止している。其の際、テコの原理により、止水弁２９の押し上げ力を強めている。
噴霧作動時、吸液管２２ｅから水が吸い上げられ、貯水室３２内の水の量が減少するとフロート２５は下降し、止水弁２９も下降して、弁座２２ｋを開き、貯水室３２内に液を供給している。このように、貯水室３２には溜める液体（水）は少量とし、常時新鮮な水を供給する構成としている。
【００４６】
前記加湿器２０の噴霧作動を以下に説明する。
蓋材２２に設けた分岐した気体通路２２ｈ供給される圧搾空気が、ノズル１の気体通路８に流入する。一方、気体通路２２ｈに流入する圧搾空気の負圧を前記液体通路２２ｆに導入し、吸液管２２ｅにより貯水室３２の底部中心より液体を吸い上げ、液体通路２２ｆを通してノズル１の液体通路７に液体を流入させる。
【００４７】
ノズル１では、前記のように、第二、第三噴口４、５の中心から噴射する液を外周から噴射して外部混合し、圧搾空気の剪断作用により微霧化して噴射する一方、第一噴口３から圧搾空気を噴射している。このように３方向から噴射する流体を外部の衝突点（Ｐ）で衝突して超音波を発生して液滴をさらに超微粒化および均質化し、霧を大量に発生させている。尚、圧搾空気圧は０〜１ＭＰａ、液圧は０〜０．５ＭＰａの範囲に設定している。
【００４８】
前記のように、噴霧時において、水を貯水室３２の底部中心の液溜まり２６より吸い上げていく。水はフロート２５の外周よりテーパをかけた底部中心に向かって流れてくるため、古い液から順次噴霧していくこととなる。貯水室３２内に溜まっている液量が減少してフロート２５が下降すると、止水レバー３０が下降して止水弁２９を下降させ、弁座２２ｋが開いて貯水室３２内に水を導入する。
貯水室３２内へ水が導入されてフロート２５が上昇すると、前記のように止水レバー３０の先端が押し上げられ、止水弁２９が上昇して弁座２２ｋを閉じる。このように貯水量を少量としているため、噴霧時に絶えずフロート２５が昇降して止水レバー３０、止水弁２９を作動して水の供給を断続し、新しい水を貯水室３２に供給している。
また、上記フロート２５、止水レバー３０および止水弁２９の作動は安定かつ正確に為される。即ち、フロート２５は中央を吸液管２２ｅにより、外周がケーシングのガイドリブ２１ｄによりガイドされて真っすぐに昇降する。
【００４９】
このように、加湿器２０は常に新鮮な水を噴霧できると共に、ノズル１を装着していることにより供給する圧搾空気量を低減しても大量の霧を発生させることができ、ランニングコストの軽減を図ることができる。
【図面の簡単な説明】
【００５０】
【図１】本発明のノズルの第一実施形態を示し、（Ａ）はノズルの断面図、（Ｂ）は概略正面図である。
【図２】第二実施形態のノズルの断面図である。
【図３】第三実施形態のノズルの正面図である。
【図４】第四実施形態のノズルの断面図である。
【図５】第二の発明の加湿器の断面図である。
【図６】前記加湿器の噴霧状態を示す図面である。
【図７】従来例を示す図面である。
【符号の説明】
【００５１】
１  ノズル
２  本体
３  第一噴口
４  第二噴口
５  第三噴口
７  液体通路
８  気体通路
２０  加湿器
Ｐ  衝突点
【図１】
2010127603.tif 000003
【図２】
2010127603.tif 000004
【図３】
2010127603.tif 000005
【図４】
2010127603.tif 000006
【図５】
2010127603.tif 000007
【図６】
2010127603.tif 000008
【図７】
2010127603.tif 000009